(57)【要約】【課題】温度調節手段を備えた温度管理システムにおいて、ハウス外の外気温が所定の基準温度以下に低下しても、ハウス内温度を適切に保つ。【解決手段】温度管理システム１０は、ヒートポンプ式の空調機２２と加温器２８と、室内温度検出部３２と、外気温度検出部３４と、前記ハウス内の設定温度を含む各種条件を設定する操作パネル６０と、制御部５２を備えている。そして、前記制御部５２は、前記外気温度検出部３４により検出されたハウス１２外の外気温が、所定の外気基準値を下回ったときに、前記操作パネル６０で設定された設定温度に、前記外気温に応じた加算値を加えて前記設定温度を補正する。そして、当該補正後の設定温度に基づいて、前記空調機２２や加温器２８の運転を制御して、外気温の低下に応じてハウス１２内温度を適切に上げる。前記空調機２２を最大限稼働させることで、コストを削減する。【選択図】図１
2016195555.tif 000002
【特許請求の範囲】
【請求項１】
植物が生育されるハウス内の温度管理を行う温度管理システムであって、
暖房，冷房のいずれか又は両方によって、前記ハウス内の温度調節を行う温度調節手段と、
前記ハウス内の温度を検出する室内温度検出手段と、
前記ハウス外の温度を検出する室外温度検出手段と、
前記ハウス内の設定温度を含む前記温度調節手段の運転制御機能に関する条件を設定する設定手段と、
前記室外温度検出手段により検出されたハウス外の外気温が、所定の外気基準値を下回ったときに、前記設定手段により設定された設定温度に、前記外気温の低下に応じた加算値を加えて前記設定温度を補正し、該補正後の設定温度に基づいて、前記温度調節手段の運転を制御する制御手段と、
を備えたことを特徴とする温度管理システム。
【請求項２】
前記制御手段は、
前記室外温度検出手段により検出された外気温が、前記外気基準値を下回ったときは、
前記外気基準値と検出された外気温の差に、所定の係数を乗じて加算値を算出し、
該算出された加算値を、前記設定温度に加えて、前記補正後の設定温度とすることを特徴とする請求項１記載の温度管理システム。
【請求項３】
前記温度調節手段が、
燃料の燃焼により加温する加温器と、
ヒートポンプ式の空調機と、
を含んでおり、
前記制御手段は、
前記補正後の設定温度が得られたときは、該補正後の設定温度に基づいて、前記空調機の運転を制御することを特徴とする請求項１又は２記載の温度管理システム。
【請求項４】
前記制御手段は、
前記加温器の運転のＯＮ・ＯＦＦを監視し、
前記加温器の運転がＯＦＦになった時点から、前記ハウス内の温度変化を監視し、
前記室内温度が、前記空調機の運転を停止する温度として設定されている空調機ＯＦＦ点を超えた時点から一定時間は前記空調機の運転を継続し、
前記一定時間経過時に、前記室内温度が前記空調機ＯＦＦ点を下回っていれば前記空調機の運転を継続し、前記室内温度が前記空調機ＯＦＦ点を下回っていなければ前記空調機の運転を停止することを特徴とする請求項３記載の温度管理システム。
【請求項５】
前記制御手段は、
前記室外温度検出手段により検出されたハウス外の外気温が、前記外気基準値を下回るときは、
前記加温器の運転がＯＦＦになった時点から、前記ハウス内の温度変化を監視し、
前記一定時間経過時を判断の基準とする運転制御に替えて、
前記室内温度が、前記空調機ＯＦＦ点を２回目に超えたときに、前記空調機の運転を停止することを特徴とする請求項４記載の温度管理システム。
【請求項６】
前記空調機が複数台あるときに、
前記制御手段は、
前記複数台の空調機の運転を監視し、いずれかの空調機が除霜に入ったことを検知したら、
除霜中と、除霜終了後の一定時間の間は、
前記設定温度に所定の除霜時加算値を加え、該除霜時加算値を加えた後の設定温度に応じて、除霜中以外の空調機の運転を制御することを特徴とする請求項３〜５のいずれか一項に記載の温度管理システム。
【請求項７】
前記空調機が、電気式のヒートポンプであり、
前記制御手段に、デマンドメータからの信号入力が可能であって、
前記制御手段は、入力された信号を監視し、
電力の使用量の上限を超える前に、前記空調機の運転を停止し、デマンド値が回復するまでは、前記加温器のみを運転することを特徴とする請求項３〜６のいずれか一項に記載の温度管理システム。
【請求項８】
前記空調機が、電気式のヒートポンプであり、
前記制御手段からの送信信号を、前記ヒートポンプが受信可能なときは、
前記制御手段は、
前記ヒートポンプ自身が有する停止温度の設定値そのものを調節することを特徴とする請求項３〜７のいずれか一項に記載の温度管理システム。
【請求項９】
前記空調機が、電気式のヒートポンプであるときに、
前記制御手段は、
電気の深夜料金と昼間料金、および前記加温器の燃料費から、前記空調機と加温器の運転費用を時間帯ごとに算出し、いずれか安く運転できる方を運転し、他方の運転を停止する切替機能を有することを特徴とする請求項７又は８記載の温度管理システム。
【請求項１０】
前記空調機が、ガス式のヒートポンプであるときに、
前記制御手段は、
ガスの料金と、前記加温器の燃料費から、前記空調機と加温器の運転費用を算出し、いずれか安く運転できる方を運転し、他方の運転を停止する切替機能を有することを特徴とする請求項３〜６のいずれか一項に記載の温度管理システム。
【請求項１１】
前記ハウスが換気手段を有しており、
前記制御手段は、
前記換気手段の動作を監視し、
該換気手段の運転中と、運転停止後の一定時間は、前記温度調節手段による加温を行わないことを特徴とする請求項１〜１０のいずれか一項に記載の温度管理システム。
【請求項１２】
前記設定手段は、
一日を経時的に任意の複数のステップに区切り、各ステップの開始時刻と、各ステップにおけるハウス内の温度を設定可能であることを特徴とする請求項１〜１１のいずれか一項に記載の温度管理システム。
【請求項１３】
前記制御手段は、
前記設定手段による勾配昇温の指定があったときには、
設定温度の低いステップから、設定温度の高いステップに移行する際に、徐々に温度が上がるように前記設定温度を修正し、該修正後の設定温度に基づいて、前記温度調節手段の運転を制御することを特徴とする請求項１２記載の温度管理システム。
【請求項１４】
前記運転制御機能が、
前記温度調節手段の入点，外気基準，シフト温度，シフト運転時間，換気遅延，温度調節手段の感度，勾配昇温、オーバーシュート時間、除霜時能力落ち込みの設定、
を含むことを特徴とする請求項１〜１３のいずれか一項に記載の温度管理システム。
【発明の詳細な説明】
【技術分野】
【０００１】
本発明は、植物栽培等に用いられる施設用の温度管理システムに関し、更に具体的には、ヒートポンプと、重油暖房機等の加温器とを併用するシステムの温度制御に関するものである。
【背景技術】
【０００２】
重油価格が高騰し、秋から春にかけての暖房の経費が上昇して生産者が困っているため、国などから電気を利用したエアコン（ヒートポンプ）に補助金がでるようになっている。しかしながら、エアコンを重油暖房に相当する台数を入れるためには、初期費用と毎月の基本料金があがってしまう。そこで、厳寒期以外はヒートポンプで、厳寒期の夜などはヒートポンプに加えて重油暖房を同時起動させてまかなっている。
【０００３】
現在、世の中に普及しているエアコンの大部分は、ほとんど例外なくインバータで制御されている。そして、インバータ制御のエアコンは設定温度と実温のギャップが大きくなるほど出力を高め、そのギャップがおよそ１０℃以上になると全力で運転するようになっている。つまり、ハウス（施設）内の温度を２０℃に保ちたいときにエアコンの設定温度を２０℃にしてしまうと、ハウス内の温度が１０℃まで下がらなければ、エアコンは全力で運転しないということになる。
【０００４】
もちろん、ハウスの大きさに対してエアコンの暖房能力が十分あれば必ずしも全力で運転する必要はないが、エアコンだけでハウス内温度を設定通りに維持するには、かなりの初期投資が必要となる。そのため、一般的には、上述したように重油暖房機等の加温器と組み合わせて、エアコンの能力が不足するときだけ重油暖房機を用いるハイブリット暖房方式をとっている。ところが、インバータの働きによって以下の問題が発生し、エアコンを導入しても思い通りに重油が削減できていないケースが多数報告されている。
【０００５】
また、ヒートポンプ（エアコン）と重油暖房機を併用し、効率良く燃料費を削減するための技術として、例えば、下記特許文献１に記載の屋内温度制御システムがある。当該技術によれば、第１温度センサを有するエアーコンディショナと第２温度センサと冷却装置を有する温度制御装置と第３温度センサを有する重油焚暖房機からなる屋内温度制御システムにおいて、前記温度制御装置に予め設定した所望の第２設定温度に前記第２温度センサが感知する第２感知温度が満たない場合は、前記冷却装置を稼働させて前記第１温度センサを冷却し、前記エアーコンディショナを全力運転させることが開示されている。
【先行技術文献】
【特許文献】
【０００６】
【特許文献１】特開２０１４−６０９５０号公報
【発明の概要】
【発明が解決しようとする課題】
【０００７】
しかしながら、上述したエアコンと重油暖房機を併用する背景技術には、次のような問題がある。
(a)ハウス内の温度が少し下がった程度ではエアコンが全力で運転しないため、ハウス内の温度低下に歯止めがかからず、すぐに重油暖房機が稼働してしまう。
(b)重油暖房機は、微妙な温度コントロールがしづらい設備であるため、ひとたび重油暖房機が稼働するとハウス内の温度が上昇に転じ、エアコンの設定温度とハウス内温度の差が小さくなることでエアコンは出力を下げるため、重油暖房機の稼働時間が必要以上に長くなってしまう。場合によっては、エアコンが頻繁に止まってしまう。
(c)エアコンが霜取りに入ると重油暖房機が稼働し、霜取りが終わった時点で、設定温度とハウス内温度の差が小さくなることでエアコンは出力を下げるため、両方が運転した状態となる。これを解決するために、エアコンの独立数を増やし、霜取りが重ならないようにするとなると、設備投資や基本料金が高くなってしまう。
【０００８】
上記(a)〜(c)について、(1)エアコンの設定温度を上げて解決を図ろうとした場合を考えてみる。例えば、ハウス内を２０℃に保ちたい場合には、エアコンの設定温度を３０℃に設定するということになる。この場合、ハウス内の温度が３０℃より下がると、全力ではなくてもエアコンが稼働し始めるため、必要以上にハウスを暖めてしまい、電気代も無駄にかかってしまう。特に、外気が暖かい日は、ハウス内が設定通り３０℃近くになってしまう可能性もあり、得策とはいえない。では、エアコンを２０℃程度に設定すればよいかというと、今度は逆に寒い時に能力が足らず、重油が頻繁に燃えてしまうことになる。つまり、外気の寒暖に応じてエアコンの設定温度を適切に調整する必要があるが、これをハウスに設置した全てのエアコンに対して日々手動で行うことは至難の業である。
【０００９】
次に、(2)エアコンの設置台数を増やして解決を図る場合を考えてみる。すると、本願出願時点における試算によると、ハウス内温度を保つために必要な総熱量を「電気：重油＝８：２」の割合で分担するのが最も経済的である。その割合を超えてエアコンの台数を増やしてしまうと、台数に比例して、初期投資と日々の電気代（基本料金）が増えるため逆に不経済となってしまう。更に、上述した特許文献１に記載の技術では、エアコンと重油暖房機のほかに、前記温度制御部に冷却装置を別途もうけなければならず、エアコンの台数が増えるほど、システム全体が大掛かりとなってしまう。
【００１０】
本発明は、以上のような点に着目したもので、植物栽培等に用いられる施設において、ハウス外の外気温が低下しても、ハウス内温度を適切に保つことができる温度管理システムを提供する。他の目的は、ヒートポンプと加温器を併用した前記温度管理システムにおいて、前記ヒートポンプの稼働率を高めることである。なお、ここでいう加温器とは、上述した重油暖房機のみならず、灯油やＬＰＧなどの化石燃料や、バイオマス燃料などの公知の燃料を用いるもの全般を意味するものとする。
【課題を解決するための手段】
【００１１】
本発明は、植物が生育されるハウス内の温度管理を行う温度管理システムであって、暖房，冷房のいずれか又は両方によって、前記ハウス内の温度調節を行う温度調節手段と、前記ハウス内の温度を検出する室内温度検出手段と、前記ハウス外の温度を検出する室外温度検出手段と、前記ハウス内の設定温度を含む前記温度調節手段の運転制御機能に関する条件を設定する設定手段と、前記室外温度検出手段により検出されたハウス外の外気温が、所定の外気基準値を下回ったときに、前記設定手段により設定された設定温度に、前記外気温の低下に応じた加算値を加えて前記設定温度を補正し、該補正後の設定温度に基づいて、前記温度調節手段の運転を制御する制御手段と、を備えたことを特徴とする。
【００１２】
主要な形態の一つは、前記制御手段は、前記室外温度検出手段により検出された外気温が、前記外気基準値を下回ったときは、前記外気基準値と検出された外気温の差に、所定の係数を乗じて加算値を算出し、該算出された加算値を、前記設定温度に加えて、前記補正後の設定温度とすることを特徴とする。
【００１３】
他の形態は、前記温度調節手段が、燃料の燃焼により加温する加温器と、ヒートポンプ式の空調機と、を含んでおり、前記制御手段は、前記補正後の設定温度が得られたときは、該補正後の設定温度に基づいて、前記空調機の運転を制御することを特徴とする。更に他の形態は、前記制御手段は、前記加温器の運転のＯＮ・ＯＦＦを監視し、前記加温器の運転がＯＦＦになった時点から、前記ハウス内の温度変化を監視し、前記室内温度が、前記空調機の運転を停止する温度として設定されている空調機ＯＦＦ点を超えた時点から一定時間は前記空調機の運転を継続し、前記一定時間経過時に、前記室内温度が前記空調機ＯＦＦ点を下回っていれば前記空調機の運転を継続し、前記室内温度が前記空調機ＯＦＦ点を下回っていなければ前記空調機の運転を停止することを特徴とする。あるいは、前記制御手段は、前記室外温度検出手段により検出されたハウス外の外気温が、前記外気基準値を下回るときは、前記加温器の運転がＯＦＦになった時点から、前記ハウス内の温度変化を監視し、前記一定時間経過時を判断の基準とする運転制御に替えて、前記室内温度が、前記空調機ＯＦＦ点を２回目に超えたときに、前記空調機の運転を停止することを特徴とする。
【００１４】
更に他の形態は、前記空調機が複数台あるときに、前記制御手段は、前記複数台の空調機の運転を監視し、いずれかの空調機が除霜に入ったことを検知したら、除霜中と、除霜終了後の一定時間の間は、前記設定温度に所定の除霜時加算値を加え、該除霜時加算値を加えた後の設定温度に応じて、除霜中以外の空調機の運転を制御することを特徴とする。更に他の形態は、前記空調機が、電気式のヒートポンプであり、前記制御手段に、デマンドメータからの信号入力が可能であって、前記制御手段は、入力された信号を監視し、電力の使用量の上限を超える前に、前記空調機の運転を停止し、デマンド値が回復するまでは、前記加温器のみを運転することを特徴とする。
【００１５】
更に他の形態は、前記空調機が、電気式のヒートポンプであり、前記制御手段からの送信信号を、前記ヒートポンプが受信可能なときは、前記制御手段は、前記ヒートポンプ自身が有する停止温度の設定値そのものを調節することを特徴とする。更に他の形態は、前記空調機が、電気式のヒートポンプであるときに、前記制御手段は、電気の深夜料金と昼間料金、および前記加温器の燃料費から、前記空調機と加温器の運転費用を時間帯ごとに算出し、いずれか安く運転できる方を運転し、他方の運転を停止する切替機能を有することを特徴とする。更に他の形態は、前記空調機が、ガス式のヒートポンプであるときに、前記制御手段は、ガスの料金と、前記加温器の燃料費から、前記空調機と加温器の運転費用を算出し、いずれか安く運転できる方を運転し、他方の運転を停止する切替機能を有することを特徴とする。
【００１６】
更に他の形態は、前記ハウスが換気手段を有しており、前記制御手段は、前記換気手段の動作を監視し、該換気手段の運転中と、運転停止後の一定時間は、前記温度調節手段による加温を行わないことを特徴とする。更に他の形態は、前記設定手段は、一日を経時的に任意の複数のステップに区切り、各ステップの開始時刻と、各ステップにおけるハウス内の温度を設定可能であることを特徴とする。更に他の形態は、前記制御手段は、前記設定手段による勾配昇温の指定があったときには、設定温度の低いステップから、設定温度の高いステップに移行する際に、徐々に温度が上がるように前記設定温度を修正し、該修正後の設定温度に基づいて、前記温度調節手段の運転を制御することを特徴とする。更に他の形態は、前記運転制御機能が、前記温度調節手段の入点，外気基準，シフト温度，シフト運転時間，換気遅延，温度調節手段の感度，勾配昇温，オーバーシュート時間，除霜時能力落ち込みの設定、を含むことを特徴とする。本発明の前記及び他の目的，特徴，利点は、以下の詳細な説明及び添付図面から明瞭になろう。
【発明の効果】
【００１７】
本発明によれば、植物が生育されるハウス内の温度管理を行うシステムが、暖房，冷房のいずれか又は両方によって、前記ハウス内の温度調節を行う温度調節手段と、前記ハウス内の温度を検出する室内温度検出手段と、前記ハウス外の温度を検出する室外温度検出手段と、前記ハウス内の設定温度を含む前記温度調節手段の運転制御機能に関する条件を設定する設定手段と、前記室外温度検出手段により検出されたハウス外の外気温が、所定の外気基準値を下回ったときに、前記設定手段により設定された設定温度に、前記外気温の低下に応じた加算値を加えて前記設定温度を補正し、該補正後の設定温度に基づいて、前記温度調節手段の運転を制御する制御手段と、を備えたこととした。このため、外気温の低下に応じて室内温度を適切に上げることができる。
【００１８】
また、温度調節手段として、燃料の燃焼により加温する加温器と、ヒートポンプ式の空調機を併用し、前記補正後の設定温度に基づいて前記空調機の運転を制御することとしたので、空調機の稼働率を高め、不足分のみ加温器も運転することとしたので、省エネに効果がある。更に、電気料金及び燃料価格の変動に応じて、前記空調及び前記加温器の稼働状態を切り替え可能としたので、コスト低減が可能である。
【図面の簡単な説明】
【００１９】
【図１】本発明の実施例１の温度管理システムの全体構成を示すブロック図である。
【図２】前記温度管理システムの操作パネルの一例を示す図である。
【図３】前記実施例１における各ステップの開始時刻と室内設定温度の設定例を示す図である。
【図４】前記実施例１における温度の２位置制御の一例を示す図であり、(A)は暖房時の加温器の制御例を示す図，(B)は冷房時のヒートポンプの制御例を示す図である。
【図５】前記実施例１における外気シフト補正の外気温度と加算値の関係を示すグラフである。
【図６】前記実施例１におけるヒートポンプのオーバーシュート対応機能の一例を示す図である。
【図７】前記実施例１におけるヒートポンプのオーバーシュート対応機能の他の一例を示す図である。
【図８】前記実施例１の温度管理の全体処理の一例を示すフローチャートである。
【図９】前記実施例１の換気装置作動監視処理の一例を示すフローチャートである。
【図１０】前記実施例１の外気基準補正後設定計算の一例を示すフローチャートである。
【図１１】前記実施例１の除霜による能力落ち込み補正処理の一例を示すフローチャートである。
【図１２】前記実施例１の加温器制御の一例を示すフローチャートである。
【図１３】前記実施例１のヒートポンプ制御の一例を示すフローチャートである。
【図１４】前記実施例１のヒートポンプが信号付きの場合の暖房時の制御の一例を示すフローチャートである。
【図１５】前記実施例１のヒートポンプが信号付きの場合の冷房時の制御の一例を示すフローチャートである。
【発明を実施するための形態】
【００２０】
以下、本発明を実施するための最良の形態を、実施例に基づいて詳細に説明する。
【実施例１】
【００２１】
最初に、図１〜図１５を参照しながら本発明の実施例１を説明する。
＜本実施例のシステム構成＞・・・最初に、図１を参照して、本実施例の植物栽培用等のハウス内の温度管理システム（以下「温度管理システム」とする）の構成について説明する。図１は、本実施例のシステム構成を示す図である。本実施例の温度管理システム１０は、植物が生育されるハウス内の温度管理を行うものであって、図１に示すように、ハウス１２の内外に設けられる各種装置と、該各種装置の運転を制御する制御部５２を備えた制御装置５０により構成されている。
【００２２】
図１に示すように、植物が栽培されるハウス１２内には、ヒートポンプ式の空調機２２の室内機２４と、燃料の燃焼によりハウス１２内を加熱する加温器２８と、換気扇などの換気装置３０と、ハウス１２の室内温度を検出する室内温度検出部３２が設けられている。警報機３６については後述する。また、前記ハウス１２外には、前記空調機２２の室外機２６と、ハウス１２の外気温を検出する外気温度検出部３４が設けられている。前記空調機２２は、冷房及び暖房の双方が可能であり、前記加温器２８は暖房機能のみを有している。このほか、前記ハウス１２の外部には、前記空調機２２が電気式ヒートポンプであるときに、そのデマンド値等を計測するデマンドメータ４２を備えた外部監視器４０が必要に応じて設けられる。前記空調機２２，加温器２８，換気装置３０，室内温度検出部３２，外気温度検出部３４，警報機３６，外部監視器４０は、後述する制御装置５０の制御部５２に接続されている。なお、前記加温器２８は、化石燃料（重油、灯油、ＬＰＧなど）やバイオマス燃料など、燃料の燃焼により加温できるものであれば、どのようなものであってもよい。
【００２３】
前記制御装置５０は、本実施例では、前記ハウス１２の外部に設けられており、各種演算処理や信号の入出力を行うための制御部５２を中心に構成されている。また、前記制御部５２は、前記制御装置５０内に設けられた操作パネル６０，メモリ７０，時計８０，タイマ８２に接続されている。前記操作パネル６０は、入力部６２と表示部６４を備えており、前記ハウス１２内の設定温度などの各種条件を設定するものである。前記メモリ７０には、前記操作パネル６０によって入力された設定情報を記憶した設定情報部７２と、前記室内温度検出部３２や外気温度検出部３４で検出した測定情報などを記憶した測定情報部７４が含まれる。
【００２４】
＜操作パネルの構成＞・・・図２には、前記操作パネル６０の一例が示されている。同図に示す各種入力部・表示部について説明すると以下の通りである。温度表示器１００は、通常は、前記室内温度検出部３２による測定温度を表示する。また、最下位桁のドットポイントは、前記加温器２８をＯＮにしたときの温度上昇中に点灯し、温度降下の判断により消灯し、各種条件の設定中はパラメータの値を表示する。出力モニターランプ１０２は、空調機２２が冷房として機能しているときに点灯する冷房ランプ１０２ａと、前記空調機２２が暖房として機能しているときに点灯するＨＰランプ１０２ｂと、前記加温器２８が運転しているときに点灯する加温ランプ１０２ｃと、前記警報機３６への出力がＯＮになっているときに点灯する警報ランプ１０２ｄを含んでいる。また、図示の例では、前記出力モニターランプ１０２の下には、前記外部監視器４０からの入力がＯＮになったときに点灯する外部入力ランプ１０４が設けられている。
【００２５】
前記温度表示器１００の下方には、タイマ表示部１０６が設けられている。該タイマ表示部１０６には、円形であって、３０分刻みの位置にランプを有する円形４８点時刻表示ランプ１０８が設けられている。通常は、現在時刻に相当するランプが点滅表示し、一日を複数のステップ（図示の例では４ステップ）に区切ったときの各ステップ開始時刻（４点）を点灯表示する。なお、現在時刻とステップ開始時刻が重なる場合は、現在時刻を表示（点滅）する。
【００２６】
前記円形４８点時刻表示ランプ１０８の中央部には、実行中のステップ番号を示す４つの現在ステップ表示ランプ１１０ａ〜１１０ｄが設けられている。更に、前記円形４８点時刻表示ランプ１０８の右下には、開始時刻変更右回りキー１１２と、開始時刻変更左回りキー１１４が設けられている。これらのキー１１２，１１４は、ステップの開始時刻を設定する時に使用するもので、右回りキー１１２は時刻を進め（時計回り）、左回りキー１１４は時刻を戻す（反時計回り）。
【００２７】
次に、前記出力モニターランプ１０２及びタイマ表示部１０８の右側には、４つのステップ表示部１２０，１３０，１４０，１５０が設けられており、それぞれ、「ステップ１」〜「ステップ４」を示す。これらのステップ表示部１２０，１３０，１４０，１５０は、各ステップにおける温度設定に用いる温度設定ツマミ１２２，１３２，１４２，１５２と、ステップ表示キー１２４，１３４，１４４，１５４を備えている。前記ステップ表示キー１２４，１３４，１４４，１５４を押すと、ステップ表示ランプ１２６，１３６，１４６，１５６が点灯して、各ステップの温度／開始時刻を設定できる。また、前記ステップ表示部１５０の下方には、運転キー１６０ａと運転ランプ１６０ｂが設けられている。前記運転キー１６０ａを押すと、「運転」と「停止」を切り替えることができ、運転ランプ１６０ｂが点灯している時は運転状態を示す。停止中は、前記温度表示器１００に、「ＳｔＰ」と測定温度を交互に表示する。また、ヒートポンプ出力（空調機出力）の加温制御と冷却制御を切り替える時にも使用する。
【００２８】
以上のような各種表示部・入力部の下方には、図示しない操作カバーが設けられており、その内側にはカバー内パネル１７０が設けられている。図示の例では、１４種の選択キー／ランプが設けられている。例えば、外気温度表示キー／ランプ１７２，補正後設定表示キー／ランプ１７４，入点表示キー／ランプ１７６，外気基準表示キー／ランプ１７８，シフト℃／℃表示キー／ランプ１８０，換気遅延表示キー／ランプ１８２，シフト開始表示キー／ランプ１８４，加温感度表示キー／ランプ１８６，ＨＰ感度表示キー／ランプ１８８，下限警報表示キー／ランプ１９０，上限警報表示キー／ランプ１９２，時計の分表示キー／ランプ１９４，時計の時表示キー／ランプ１９６，シフト終了表示キー／ランプ１９８が設けられている。前記カバー内パネル１７０の右側には、ロックキー１６２ａとロックランプ１６２ｂが設けられている。前記ロックキー１６２ａは誤操作を防止するためのキーであって、ロック中は前記ロックランプ１６２ｂが点灯する。また、表示切替キー１６４が設けられており、操作カバーパネル１７０内での操作で項目を切り替える時に使用する。該表示切替キー１６４を押す度に上記１４種の選択ランプが順次点灯する。更に、前記表示切替キー１６４の右側には、設定変更アップキー１６６と設定変更ダウンキー１６８が設けられており、設定値を増加・減少させる時に使用する。
【００２９】
＜ステップの設定＞・・・次に、前記操作パネル６０を用いて、一日を所定数（本実施例では４つ）のステップに区切り、各ステップ毎にハウス１２内の室内温度を設定する手順について説明する。まず、前記ロックランプ１６２ｂが点灯している場合は、ロックキー１６２ａを押してロックランプ１６２ｂを消灯させる。そして、設定を行うステップのステップ表示キー１２４，１３４，１４４，１５４を押すと、該当するステップ表示ランプ１２６，１３６，１４６，１５６が点灯し、温度表示器１００にそのステップの設定温度を表示する。また、円形４８点時刻表示ランプ１０６の現在時刻表示が消灯し、そのステップ開始時刻を早点滅表示する（その他のステップの開始時刻は点灯表示のまま）。
【００３０】
そして、温度設定ツマミ１２２，１３２，１４２，１５２を回して温度を設定する。ツマミに連動して、温度表示器１００の設定値表示も変化する。次に、開始時刻変更右回りキー１１２又は開始時刻変更左回りキー１１４を押して、開始時刻を設定する。開始時刻は００時００分から２３時３０分（３０分刻み）の範囲で設定できる。開始時刻を変更中に他のステップと重なる、または飛び越すことはできず、自動的に他のステップの開始時刻を調整する。例えば
（例１）ステップ２開始時刻を設定中に、ステップ１開始時刻と重なった場合
ステップ２  ２０：３０→３０分減→２０：００
ステップ１  ２０：００→１９：３０（自動で３０分ずれる）
（例２）ステップ１開始時刻を設定中にステップ２開始時刻と重なった場合
ステップ１  ２０：３０→３０分増→２１：００
ステップ２  ２１：００→２１：３０（自動で３０分ずれる）
という具合である。設定を終了するときは、変更中のステップ表示キーを押す、またはその他のステップ表示キーを押す、または３０秒以上操作をしないことにより、ステップ表示ランプが消灯して、設定を記憶する。ロックが必要であれば、前記ロックキー１６２ａを押してロックランプ１６２ｂを点灯させる。
【００３１】
以上のようにして設定した各ステップの温度設定の一例が図３(A)に示されている。図示の例では、
ステップ１は、８：００〜１２：００までで設定温度は１６℃、
ステップ２は、１２：００〜１６：００までで設定温度は２０℃、
ステップ３は、１６：００〜２０：００までで設定温度は１６℃、
ステップ４は、２０：００〜８：００までで設定温度は１２℃、
という具合である。そして、以降、このステップを繰り返す。
【００３２】
＜操作カバー内パネルでの設定＞・・・前記表示切替キー１６４を押す度に、上述した１４種の選択ランプ１７２〜１９８が順次点灯し、前記温度表示器１００に点灯している項目（ランプ）の設定値等を表示する。設定変更アップキー１６６又は設定変更ダウンキー１６８を押して、設定値を変更する。３０秒以上操作がないと設定値を記憶して通常の運転状態に戻る。各項目の設定範囲の一例を示すと、以下の表１の通りである。
【表１】
2016195555.tif 000003
＜保守モードでの設定値＞・・・後述する各種制御に関する設定値を設定するために、本実施例では、前記操作パネル６０の保守モードを利用する。前記開始時刻変更右回りキー１１２及び開始時刻変更左回りキー１１４を５秒間長押しすると、保守モードに切り替わる。保守モードに切り替わると、前記円形４８点時刻表示ランプ１０６で現在設定中のパラメータ番号を、温度表示器１００で現在設定中の設定値を表示する。そして、設定変更アップキー１６６又は設定変更ダウンキー１６８を押して、設定値を変更する。表示変更キー１６４を押すと、設定値を記憶して次のパラメータに移る。ロックキー１６２ａを押すか、または３０秒以上操作しないと、設定値を記憶した後に、本器にリセットが掛かって再起動する。なお、保守モードに切り替わると、全ての出力がＯＦＦとなる。当該保守モードにおける表示項目と設定範囲の一例が、以下の表２に示されている。例えば、後述する「除霜後温度加算時間」については、前記円形４８点時刻表示ランプ１０８の１３時の位置のランプが点灯し、０分〜９９分までの間で、１分単位で設定することができる。
【表２】
2016195555.tif 000004
【００３３】
＜暖房／冷房の切り替え＞・・・本実施例の温度管理システム１０は、暖房、冷房のいずれとしても利用できるものであり、運転を切り替えて使用することができる。この場合、前記操作パネル６０の運転キー１６０ａを５秒間長押しすることで、まず、現在の制御方式が前記出力モニターランプ１０２に表示される。例えば、冷房中であれば、冷房ランプ１０２ａが点滅し、暖房中であれば、加温ランプ１０２ｃが点滅するという具合である。前記運転キー１６０ａを更に５秒間長押しすると、制御方法が切り替わり、切り替わった制御方式を表示する。その後、２秒間経過すると、本器に自動的にリセットが掛かって再起動する。なお、この操作を行うと、運転／停止の状態も切り替わるため、制御方式を切り替え後に所望の運転状態にする。
【００３４】
(a)加温器の２位置制御・・・本実施例では、後述する通り、前記ハウス１２内を設定温度に保つために、前記空調機２２の暖房機能を最大限利用し、前記加温器２８は補助的に用いる。前記空調機２２を効率よく稼働させるため、室内設定温度に様々な補正をかける。その一方、前記加温器２８においても、温度の２位置制御を行っている。図４(A)には、加温器２８の出力のＯＮ・ＯＦＦと、前記室内温度検出部３２により検出された室内測定温度の変化が、経時的に示されている。前記空調機２２を加温に用いる場合、そのバックアップとして加温器２８を用いるが、前記室内測定温度が設定温度（前記ツマミ１２２，１３２，１４２，１５２で設定した温度）以下になると、加温器２８の出力がＯＮとなる。また、「ツマミ設定温度＋加温感度」以上になると、加温器２８の出力はＯＦＦとなる。すなわち、加温器２８の出力ＯＮ点と、ＯＦＦ点が異なる温度となっている。なお、前記「加温感度」は、上述した操作パネル６０によって、例えば、０．２℃〜５．０℃の範囲内で、０．１℃ごとに任意に設定が可能となっている（前記表１参照）。そして、加温出力がＯＦＦになった時点を基準として、後述する空調機２２のオーバーシュート対応処理が行われる。なお、以下の説明において「ツマミ設定」とある場合は、前記温度設定ツマミ１２２，１３２，１４２，１５２によって設定された初期の室内設定温度を意味する。また、図面中における「ＨＰ」は、ヒートポンプ式の空調機２２のことをさしているものとする。
【００３５】
(b)空調機の冷房使用時の２位置制御・・・前記暖房／冷房の切り替えにより冷却処理を行う場合、前記空調機２２において、冷却の２位置制御が行われる。図４(B)には、空調機２２の出力のＯＮ・ＯＦＦと、前記室内温度検出部３２により検出された室内測定温度の変化が、経時的に示されている。前記室内測定温度が、設定温度（前記ツマミ１２２，１３２，１４２，１５２で設定した温度）以上になると、空調機２２の出力がＯＮし、「ツマミ設定−ＨＰ感度」より低くなるとＯＦＦする。すなわち、冷房運転時の空調機２２の出力ＯＮ点と、ＯＦＦ点が異なる温度となっている。なお、前記「ＨＰ感度」は、上述した操作パネル６０によって、例えば、０．２℃〜５．０℃の間で、０．１℃ごとに任意に設定が可能となっている（前記表１参照）。
【００３６】
＜温度管理全体＞・・・次に、図８を参照しながら、本実施例の温度管理システム１０による温度管理処理全体の流れを説明する。なお、全体処理中に行われる各種制御等については、後述することとする。図８は、本実施例の温度管理の全体の処理の一例を示すフローチャートである。なお、図８の温度管理処理を開始するにあたっては、事前に、前記操作パネル６０によって、一日をステップ１〜ステップ４の４つのステップに所定の時刻で区切り、各ステップ毎に上述した手順で所望の室内設定温度を設定しておくものとする。また、前記操作パネル６０により、前記表１に示した「入点」，「外気基準」，「シフト℃／℃」，「換気遅延」，「シフト開始（時刻）」，「現在時刻（時）」，「現在時刻（分）」，「上限警報温度」，「下限警報温度」，「ＨＰ感度」，「加温感度」を設定しておくものとする。更に、前記操作パネル６０を上述した保守モードにして、「除霜後温度加算時間」，「除霜中加算値」，「最大加算幅」，「加温ＯＦＦ後オーバーシュート許容時間」，「ステップ１昇温選択」，「ステップ１昇温率」，「換気扇／除霜中  切替」，「微調整温度」，「デジタルフィルタ時定数」，「パネル設定方法」，「昼のＨＰ制御」を設定しておく。なお、前記「デジタルフィルタ時定数」は通常は変更せずに使用する。前記設定項目の詳細については後述する。
【００３７】
まず、制御装置５０の電源をＯＮにすると（ステップＳ１０）、前記制御部５２は、時計８０と設定情報部７２を参照し、現在時刻と各ステップの開始時刻設定から、現在時刻に対応するステップ番号を求める（ステップＳ１２）。そして、現在ステップ番号が１〜３のとき（ステップＳ１４でＹｅｓ）、すなわち、本実施例の場合は、８：００〜２０：００の間であれば、前記操作パネル６０で設定された温度（ツマミ設定）を室内設定温度とし、本器（制御装置５０）が運転中か否か判断する（ステップＳ２４）。また、前記ステップＳ１４において、現在ステップが「ステップ４」と判断された場合（ステップＳ１４でＮｏ）には、ステップ１の昇温機能が選択されているか確認する（ステップＳ１６）。そして、昇温機能が選択されている場合には（ステップＳ１６でＹｅｓ）には、昇温率で逆算して昇温期間中か判断し（ステップＳ１８）、昇温期間中であれば（ステップＳ１８でＹｅｓ）、ステップ４の設定温度がステップ１の設定温度以上か否かを判断し（ステップＳ２０）、ステップ４の設定温度がステップ１の設定温度よりも低い場合には（ステップＳ２０でＮｏ）、ステップ１の設定温度を目標とし、到達時間をステップ１の開始時刻として、決められた昇温率で逆算し、現在時刻に対応した設定温度を、勾配昇温補正後の室内設定温度とする（ステップＳ２６）。
【００３８】
（勾配昇温）・・・図３(B)には、昇温機能を選択した場合の、室内設定温度の経時的な変化が示されている。同図(B)に示す例では、１２℃に設定されているステップ４の４：００頃から、ステップ１の開始時刻である８：００に向けて１６℃になるように、室内設定温度が一定の昇温率で上がるように設定されている。この昇温設定を行うか否かの設定は、前記保守モードで行い、同じく保守モードにおいて、ステップ１へ向けてどのくらいの時間をかけて昇温するか（昇温率）を、０．５℃/時間〜４．０℃/時間の範囲内において設定する。このように、ゆっくり暖めるように、早朝より温度を上昇させる機能を備える（勾配昇温をする）ことにより、明け方にハウス１２内が急に温度上昇して、空気中の水分が冷たい果実等の部分に結露して付着し、病気や裂果など発生することを防止することができる。
【００３９】
以上のように、勾配昇温をするように室内温度を設定したら（ステップＳ２６）、次のステップＳ２４に進む。また、前記ステップＳ１６においてステップ１の昇温機能が選択されておらず（ステップＳ１６でＮｏ）、昇温期間中でなく（ステップＳ１８でＮｏ）、ステップ４の設定温度がステップ１の設定温度以上のとき（ステップＳ２０でＹｅｓ）であれば、勾配昇温はせずに、前記操作パネル６０で設定されたツマミ設定をそのまま室内設定温度として（ステップＳ２２）、次のステップＳ２４へ進む。前記ステップＳ２４において、本器（制御装置５０）が運転中でなければ（ステップＳ２４でＮｏ）、空調機２２（ＨＰ）の運転をＯＦＦし（ステップＳ２７）、加温器２８の運転もＯＦＦする（ステップＳ２８）。その後、電源をＯＦＦするときは（ステップＳ２４４でＹｅｓ）、温度管理を終了し（ステップＳ２４６）、電源をＯＦＦしないときは（ステップＳ２４４でＮｏ）、上述したステップＳ１２に戻る。
【００４０】
一方、前記ステップＳ２４において、本器が運転中であれば（ステップＳ２４でＹｅｓ）、換気装置作動監視（ステップＳ３０）、外気基準補正後設定計算（ステップＳ４０）、除霜による能力落ち込み補正（ステップＳ６０）、加温器制御（ステップＳ８０）、ＨＰ（空調機）制御（ステップＳ１２０）を行う。これらの各制御については、後述する。そして、時計８０が１秒計時したら（ステップＳ２３０でＹｅｓ）、オーバーシュート中タイマがアップしたか判断し（ステップＳ２３２）、アップしたとき（ステップＳ２３２でＹｅｓ）、あるいは、タイマがアップしていないが（ステップＳ２３２でＮｏ）、その後、タイマの計時が完了したら（ステップＳ２３４）、換気による禁止タイマがアップしたか否か（ステップＳ２３６）に進む。
【００４１】
そして、換気による禁止タイマがアップしたら（ステップＳ２３６でＹｅｓ）、あるいは、換気による禁止タイマはアップしていないが（ステップＳ２３６でＮｏ）、その後、換気による禁止タイマの計時が完了したら（ステップＳ２３８）、除霜中タイマがアップしたか否か（ステップＳ２４０）へ進む。そして、換気による禁止タイマがアップしたら（ステップＳ２４４）、あるいは、除霜中タイマはアップしていないが（ステップＳ２４０でＮｏ）、その後、除霜中タイマの計時が完了したら（ステップＳ２４２）、ステップＳ２４４に進む。そして、電源をＯＦＦにするときは（ステップＳ２４４でＹｅｓ）、温度管理を終了し（ステップＳ２４６）、電源をＯＦＦにしないときは（ステップＳ２４４でＮｏ）、前記ステップＳ１２へ戻る。
【００４２】
(換気装置作動監視)・・・次に、前記「換気装置作動監視」（ステップＳ３０）について、図９も参照しながら説明する。従来、春が近くなるにつれ晴天日は、ハウス１２内の温度が日射により上昇し、換気装置３０が、ハウス内温度を下げる目的で、自動的に稼働する。しかし、外気温度はまだ低いため、ハウス内温度が下がり換気装置３０が停止しても、空調機２２や加温器２８が稼働し、ハウス内１２の温度を上昇させ、また日射により上昇するということを繰り返し、経費がかかってしまう。そこで、本実施例では、暖房時における換気装置３０の運転中と、停止後のある一定時間は、ハウス１２内の温度が一時的に低下しても空調機２２や加温器２８を起動させないように、換気装置作動監視機能を、前記制御装置５０に持たせている。
【００４３】
換気装置作動監視（ステップＳ３０）では、まず、空調機（ＨＰ）２２を暖房で使用しているか否かを判断し（ステップＳ３２）、暖房で使用している場合（ステップＳ３２でＹｅｓ）であって、換気入力がＯＮになった場合（ステップＳ３４でＹｅｓ）には、換気による禁止タイマをセットし（ステップＳ３６）、次の「外気基準補正後設定計算」（ステップＳ４０）へ進む。また、空調機（ＨＰ）２２を暖房で使用していない場合（ステップＳ３２でＮｏ）や、暖房で使用しているが換気入力がＯＮになっていない場合（ステップＳ３４でＮｏ）には、換気による禁止タイマセットをせずに、次の「外気基準補正後設定計算」（ステップＳ４０）へ進む。ステップＳ３６を経由しない場合（ステップＳ３４でＮｏ）であっても、設定した時間は後述するステップＳ２３６のＮｏへ進む。タイマセット中は、後述するステップＳ２３８で減算されるが、セットされ続けるため減らず、タイマセットをスキップすると前記ステップＳ２３８で徐々にダウンカウントされ、ステップＳ２３６のＹｅｓと合流する。なお、前記換気装置３０の起動／停止の温度設定を、前記操作パネル６０で行えるようにしてもよいし、または、外部で制御された結果のＯＮ・ＯＦＦ状態を判定する機能を、制御部５２が有するようにしてもよい。また、前記換気装置３０には、いわゆる換気扇のほか、天窓、側窓、谷換気開閉装置など、公知の換気可能な手段が適用可能である。
【００４４】
(外気基準補正後設定計算)・・・次に、図５及び図１０も参照しながら、「外気基準補正後設定計算」（ステップＳ４０）について説明する。図５は、本実施例による外気シフト補正の外気温度と加算値の関係を示すグラフであり、図１０は、本実施例による外気基準補正後設定計算処理の一例を示すフローチャートである。従来、ハウス１２内の暖房は、一般的には、重油暖房機と組み合わせてエアコンの能力が足りないときだけ重油暖房機で補うハイブリッド暖房方式をとっており、ランニングコストの安い空調機の能力を上げて可能な限り連続で運転させることが要求される。外気温度が低下すると、低下前の室内設定温度で空調機２２を運転しても、空調機２２の能力を十分に発揮できず、ハウス１２内の温度を所望の設定温度に保つことができない。インバータ制御の空調機２２は、設定温度と実温とのギャップが約１０℃以上になると最大出力運転をする。
【００４５】
そこで、本発明では、設定温度の補正加算を
(a)外気温度が予め指定した基準の温度（以下「外気基準」又は「外気基準値」という）を下回ると、前記操作パネル６０で設定した室内設定温度に対して、外気温度の下がり方に応じて、所定の条件のもとで、前記室内設定温度に補正値（加算値）を加え、空調機２２の停止点（空調機ＯＦＦ点）を上げて運転出力を大きくする、
(b)上記加算は、シフト開始時刻からシフト終了時刻の間で、指定した時間帯のみ行う、
(c)送信信号（電気、通信信号）の接続が可能な空調機２２であれば、空調機２２自身の有する停止温度の設定値そのものを上げる、
こととしている。
【００４６】
前記(a)の「外気基準」は、例えば、前記操作パネル６０によって設定される。例えば、前記表１に示す例では、外気基準は０．０℃〜５０．０℃の間で、０．１℃きざみで設定が可能となっている。また、前記(b)のシフト開始時刻及びシフト終了時刻も、前記操作パネル６０によって設定される。例えば、前記表１に示す例では、シフト開始時刻は１２時〜２３時までの間で、１時間単位で設定可能であり、シフト終了時刻は０時〜１２時までの間で、１時間単位で設定可能となっている。このように、シフト補正を行う時間帯を定めるのは、日中は、外気温が低くても、日射でハウス１２内の温度が上がるためである。なお、前記(c)については、後述する「ＨＰ制御（ステップＳ１２０）」において説明する。
【００４７】
ここで、後述する「加温器制御」（ステップＳ８０）、「ＨＰ制御」(ステップＳ１２０)も含めて、運転制御の具体例を示す。
＜運転制御の具体例１＞
前記加温器２８については、前記室内温度検出部３２で検出した室内温度が、
(i)前記操作パネル６０で設定した室内設定温度以下でＯＮとし、
(ii)「前記室内設定温度＋加温器感度幅」以上でＯＦＦ、
とする。なお、前記(i)及び(ii)において、上述したように、ステップ１で勾配昇温をする場合には、前記「室内設定温度」は、勾配計算後の値に読み替えるものする。
【００４８】
前記空調機２２については、以下の通りである。
(1)外気温度が、外気基準値以上の場合は、前記室内温度が、
「前記室内設定温度＋入点」以下でＯＮ、
「前記室内設定温度＋入点＋ＨＰ感度幅」以上でＯＦＦ、
とする。ここでいう「入点」とは、空調機２２がＯＮするまでの幅（偏差値）、いわゆる「ＨＰ入点」であり、前記操作パネル６０によって、前記表１に示すように、０．０℃〜５．０℃の間で、０．１℃刻みで設定可能となっている。また、前記「ＨＰ感度幅」についても、前記操作パネル６０によって、前記表１に示すように、０．２℃〜５．０℃の間で、０．１℃刻みで設定可能となっている。本実施例では、前記入点は、ＨＰ入点と後述する加温器入点で共通に設定される。
【００４９】
(2)外気温度が、外気基準値未満の時は、前記室内温度が、
「前記室内設定温度＋加算値＋入点」以下でＯＮ、
「前記室内設定温度＋加算値＋入点＋ＨＰ感度幅」以上でＯＦＦ、
とする。ここで、前記「加算値」は、次の通り計算される。
加算値＝「シフト℃／℃」×（外気基準値−外気温度）
前記「シフト℃／℃」とは、外気温１℃に対する上げ幅であり、前記操作パネル６０によって、０．０℃〜５．０℃の間で０．１℃刻みで設定可能である。また、前記加算値の上限は、「最大加算幅」で制限される。該「最大加算幅」は、上述した保守モードにおいて、操作パネル６０で設定可能となっており、前記表２に示す例では、０．０℃〜９．９℃の間で０．１℃刻みで設定可能となっている。また、初期値は５．０℃に設定されている。
【００５０】
ここで、外気温度が、外気基準値未満の時の加算値による補正例を、以下の条件を用いて示す。
外気基準値：１０℃
外気温度：７℃
最大加算幅：５℃
シフト℃／℃：１．５℃
現在ステップの室内設定温度（ツマミ設定）：１５℃
の場合、
加算値＝１．５×（１０−７）＝４．５（℃）
であるため、補正後設定温度は、１５℃（現在の設定温度（ツマミ設定温度））＋４．５℃（加算値）＝１９．５℃となる。
そして、この補正後の設定温度が、前記操作パネル６０の温度表示器１００に表示される。図５には、外気温度と加算値の関係がグラフで示されている。
【００５１】
(3)空調機２２の設定変更（ＨＰ制御）例を示すと次の通りである。なお、ここで「ＨＰ用設定」とは、「室内設定温度（ツマミ設定）＋加算値」を示す。
(a)前記室内温度が「ＨＰ用設定＋入点」以下の時は、３０℃に設定する。
(b)前記室内温度が「ＨＰ用設定＋入点＋ＨＰ感度幅」以上の時は、ＯＦＦにする。
(c)前記(a)及び(b)以外の場合は、
設定温度＝｛１４℃×（ＨＰ用設定＋入点＋ＨＰ感度幅−現在室内温度）／ＨＰ感度幅｝＋１６℃、に設定する。これをまとめると、以下の表３の通りである。
【表３】
2016195555.tif 000005
【００５２】
＜運転制御の具体例２＞・・・前記具体例１と切り替えて、以下のように運転制御をしてもよい。
前記加温器２８については、前記室内温度検出部３２で検出した室内温度が、
(i)「前記室内設定温度−入点」以下でＯＮとし、
(ii)「前記室内設定温度−入点＋加温器感度幅」以上でＯＦＦとする。
具体例１と同様に、前記(i)及び(ii)において、ステップ１で勾配昇温をする場合には、前記「室内設定温度」は、勾配計算後の値に読み替えるものする。また、前記「入点」とは、ここでは、前記加温器２８がＯＮするまでの幅（偏差）であって、本実施例では、前記空調機入点（ＨＰ入点）と共通であり、前記操作パネル６０によって設定される）。
【００５３】
次に、前記空調機２２については、以下の通りである。
(1)外気温度が、外気基準値以上の場合は、前記室内温度が、
「前記室内設定温度」以下でＯＮ、
「前記室内設定温度＋ＨＰ感度幅」以上でＯＦＦとする。
(2)外気温度が、外気基準値未満の時は、前記室内温度が、
「前記室内設定温度＋加算値」以下でＯＮ、
「前記室内設定温度＋加算値＋ＨＰ感度幅」以上でＯＦＦとする。
前記「加算値」の計算方法は、前記具体例１と同様である。
(3)空調機２２の設定変更（ＨＰ制御）例を示すと次の通りである。なお、ここで「ＨＰ用設定」とは、前記具体例１と同様に「室内設定温度（ツマミ設定）＋加算値」を示す。
(a)前記室内温度が「ＨＰ用設定」以下の時は、３０℃に設定する。
(b)前記室内温度が「ＨＰ用設定＋ＨＰ感度幅」以上の時は、ＯＦＦにする。
(c)前記(a)及び(b)以外の場合は、
設定温度＝｛１４℃×（ＨＰ用設定＋ＨＰ感度幅−現在室内温度）／ＨＰ感度幅｝＋１６℃、に設定する。
【００５４】
以上のような具体例１と具体例２は、使いやすさに応じて使い分け可能にしてもよい。図１０には、前記具体例１及び２の(2)の加算値を算出して室内設定温度を補正する処理がフローチャートで示されている。上述した換気装置作動監視（ステップＳ３０）の後、外気基準補正後設定計算（ステップＳ４０）に入ると、まず、空調機２２を暖房で使用しているか否かを判断し（ステップＳ４２）、暖房で使用している場合（ステップＳ２４でＹｅｓ）には、制御部５２は、時計８０と設定情報部７２を参照し、現在時刻がシフト開始時刻からシフト終了時刻の間にあるか判断する（ステップＳ４４）。そして、所定のシフト開始時刻からシフト終了時刻の間であれば（ステップＳ４４でＹｅｓ）、外気温度検出部３４により検出された外気温度と、前記操作パネル６０で設定された外気基準値を比較し（ステップＳ４６）、外気温度が外気基準値よりも低ければ（ステップＳ４６でＹｅｓ）、その差Δｔ＝外気基準値−外気温度、を算出する（ステップＳ４８）。
【００５５】
そして、前記Δｔ（外気基準値−外気温度）に所定のシフト比率（シフト℃／℃）を乗じて加算値ａを算出し（ステップＳ５０）、算出された加算値ａと前記最大加算幅（表２参照）を比較する（ステップＳ５２）。そして、算出された加算値ａが前記最大加算幅より大きければ（ステップＳ５２でＹｅｓ）、加算値ａの上限は前記最大加算幅であるから、ａ＝最大加算幅として（ステップＳ５６）、室内設定温度（ツマミ設定）に加算値ａを加えて、補正後設定値とする（ステップＳ５６）。また、前記ステップＳ５２において、加算値ａが最大加算幅以下であれば（ステップＳ５２でＮｏ）、算出された加算値ａをそのまま用いて、室内設定温度（ツマミ設定）に加算値ａを加えて、補正後設定値とする（ステップＳ５６）。その後は、後述する「除霜による能力落ち込み補正（ステップＳ６０）」へ進む。
【００５６】
一方、前記空調機２２を暖房で使用していないとき（ステップＳ４２でＮｏ）、暖房で使用しているが、現在時刻が所定のシフト開始時刻から終了時刻の間にないとき（ステップＳ４４でＮｏ）は、シフト補正を行わず，すなわち、補正後設定値＝室内設定温度（ツマミ設定）として（ステップＳ５８）、後述する「除霜による能力落ち込み補正（ステップＳ６０）」に進む。また、現在時刻が所定のシフト開始時刻から終了時刻の間にあっても、外気温度が外気基準値以上（ステップＳ４６のＮｏ）のときも、シフト補正はせず（ステップＳ５８）、後述するステップＳ６０へ進む。
【００５７】
（除霜による能力落ち込み補正）・・・次に、図１１も参照しながら、「除霜による能力落ち込み補正後設定計算」（ステップＳ６０）について説明する。従来、複数台の空調機２２のうちのいずれかの空調機２２が除霜に入ると、全体の暖房能力が落ち、加温器２８がＯＮして経費が増してしまう。そこで、本実施例では、
(1)複数台あるうちのいずれかの空調機２２が除霜に入ったことを検知したら、
(2)除霜に入っている期間と、除霜が終了してからの一定時間（除霜後温度加算時間）の間、
(3)所定の「除霜中加算値」を室内設定温度にたして、空調機２２の停止点（空調機ＯＦＦ点）を上げて運転出力を大きくする、
ことにより、除霜以外で運転中の空調機２２の能力を上げることとした。なお、前記除霜時加算値の加算は、シフト開始時刻からシフト終了時刻の間のみ行う。本実施例では、この除霜時加算を行う時間は、前記外気シフト補正のシフト開始時刻・終了時刻と共通である。また、前記「除霜後温度加算時間」は、前記操作パネル６０を保守モードにすることで、０〜９９分の間で１分刻みで設定可能である（前記表２参照）。また、前記「除霜時加算値」も、前記操作パネル６０を保守モードにすることで、「除霜中加算値」を、０〜９９分の間で１分刻みで設定可能である（前記表２参照）。
【００５８】
以上の処理を、図１１を参照して説明する。除霜による能力落ち込み補正（ステップＳ６０）では、前記制御部５２が、複数台ある空調機２２のいずれかが除霜に入ったと判断したら（ステップＳ６２でＹｅｓ）、除霜中タイマをセットし（ステップＳ６４）、空調機を暖房で使用しているか否かを判断する（ステップＳ６６）。空調機２２を暖房で使用しており（ステップＳ６６のＹｅｓ）、現在時刻がシフト開始時刻からシフト終了時刻の間にあって（ステップＳ６８のＹｅｓ）、所定の除霜後温度加算時間が経過していない，すなわち、除霜中タイマがアップしていない（ステップＳ７０でＮｏ）場合には、「ｂ＝除霜時温度加算値」を算出し（ステップＳ７２）、その値ｂが最大加算幅より大きければ（ステップＳ７４のＹｅｓ）、ｂ＝最大加算幅として（ステップＳ７６）、室内設定温度に前記ｂを加算して補正後設定値を求める(ステップＳ７８)。その後、後述する加温器制御（ステップＳ８０）へ進む。前記除霜時温度加算値ｂは、上述した表２に示された設定値である。なお、前記ステップＳ７０の「除霜中タイマアップ」は、図８のステップＳ２４０と、同じタイマの減算中を判断しており共通である。
【００５９】
一方、前記制御部５２が、除霜入力を検知しない場合（ステップＳ６２でＮｏ）、除霜入力があっても空調機２２を暖房で使用していない場合（ステップＳ６６でＮｏ）、更に、現在時刻がシフト開始時時刻〜シフト終了時刻の間にない場合（ステップＳ６８でＮｏ）、除霜中タイマがアップしている場合（ステップＳ７０でＹｅｓ）には、除霜時温度加算値による補正（ステップＳ７４〜ステップＳ７８）は行わず、後述する加温器制御（ステップＳ８０）へ進む。
【００６０】
（加温器制御）・・・次に、図１２も参照しながら、加温器制御（ステップＳ８０）について説明する。まず、制御部５２は、空調機（ＨＰ）２２を暖房で使用しているか否かを判断し（ステップＳ８２）、暖房で使用している場合には（ステップＳ８２でＹｅｓ）、換気による禁止タイマがアップしているか確認する（ステップＳ８６）。そして、室内温度が、「ツマミ設定＋加温器感度」以上であれば、加温器２８をＯＮし（ステップＳ８６でＹｅｓ、ステップＳ９０でＹｅｓ）、オーバーシュート対応を開始するとともに（ステップＳ９０）、加温器２８の運転をＯＦＦにする（ステップＳ９２）。なお、ここでいうオーバーシュートとは、後述する空調機制御で説明するように、「空調機が稼働中に加温器がＯＮした場合、室内温度が一時的に上昇する」ことを意味している。
【００６１】
加温器２８をＯＦＦにしたら（ステップＳ９２）、室内温度と「補正後設定＋入点＋ＨＰ感度」の比較を行う（ステップＳ１００）。また、空調機２２を暖房で使用していないとき（前記ステップＳ８２でＮｏ）場合は、加温器２８をＯＦＦにして（ステップＳ９４）、上述したステップ１００へ進む。さらに、室内温度が、「ツマミ設定＋加温器感度」未満のとき（ステップＳ８６でＮｏ）であって、室内温度がツマミ設定以下のとき（ステップＳ９６でＹｅｓ）は、加温器２８をＯＮにし、次のステップＳ１００へ進む。また、室内温度がツマミ設定よりも大きいとき（ステップＳ９６でＮｏ）は、加温器２８のＯＮＯＦＦはせずに、次のステップＳ１００へ進む。
【００６２】
ステップＳ１００では、室内温度と「補正後設定＋入点＋ＨＰ感度」を比較し（ステップＳ１００）、室内温度が「補正後設定＋入点＋ＨＰ感度」を超えていれば（ステップＳ１００でＹｅｓ）、ＯＦＦ側到達＝ＯＮと設定した上で（ステップＳ１０２）、オーバーシュートが開始しているか判断する（ステップＳ１０４）。また、前記室内温度が「補正後設定＋入点＋ＨＰ感度」以下の場合（ステップＳ１００でＮｏ）は、そのまま前記ステップＳ１０４へ進む。そして、オーバーシュートが開始されており（ステップＳ１０４でＹｅｓ）、ＯＦＦ側到達＝ＯＮ、かつ、室内温度が「補正後設定＋入点」以下になったら（ステップＳ１０６のＹｅｓ）、オーバーシュート開始をＯＦＦにし（ステップＳ１０８）、ＯＦＦ側到達＝ＯＦＦにして（ステップＳ１１０）、後述するＨＰ制御（ステップＳ１２０）へ進む。また、前記オーバーシュートが開始されていない場合（ステップＳ１０４でＮｏ）は、直接、後述するＨＰ制御（ステップＳ１２０）へ進む。
【００６３】
（ＨＰ制御）・・・次に、図６，図７，図１３〜図１５を参照して、空調機の制御（ＨＰ制御）（ステップＳ１２０）について説明する。従来、空調機（ＨＰ）が稼働中に加温器２８がＯＮした場合（重油暖房機などは微妙な温度コントロールがしづらい設備であるため、ひとたび加温器２８が稼働するとハウス１２内の温度が急激に高まり、エアコンが頻繁に停止するおそれがある。）、室内温度が一時的に上昇する（「オーバーシュート」現象）。これにより空調機２２のＯＦＦ点を超え、空調機２２は停止する。温度が下がると、空調機２２は再起動するが、すぐに温度が上がらないため、また加温器２８がＯＮしてしまいこれを繰り返すことで、経費が増えてしまう。そこで、本実施例では、前記制御装置５０にオーバーシュート対応機能を設けて、上述した２位置制御を補正している。具体的な手法としては、例えば、下記の３パターンが挙げられる。
【００６４】
＜オーバーシュート対応制御例１＞・・・図６を参照して具体的な制御例１を説明する。
(1)まず、加温器２８がＯＮからＯＦＦになった時点から温度の変化を監視し、
(2)空調機２２のＯＦＦを超えた時点から、一定の時間は空調機２２をＯＦＦしないようにする。
これにより、空調機２２をなるべく停止しないようにして、空調機２２の稼働率を上げ、逆に加温器２８の稼働率を下げることで経費を低減できる（加温器２８の２位置制御については、前記図４(A)、加温器２８の制御フローについては前記図１２を参照）。
【００６５】
図６には、制御例１における、加温出力のＯＮＯＦＦ、ＨＰ出力のＯＮＯＦＦ、ハウス１２内の測定温度の経時変化が示されている。同図に示すように、加温器２８がＯＮからＯＦＦになった時点（ｔ１）から温度の変化を監視し、空調機（ＨＰ）２２のＯＦＦ点を超えた時点（ｔ２）から一定の時間（オーバーシュート許容時間）が経過（ｔ３）する以前に、測定温度が「補正後温度＋ＨＰ感度」を下回っているため、空調機２２の出力はＯＦＦしないで運転を継続する。その後、前記測定温度がツマミ設定温度を下回った時点（ｔ４）で加温器２８の出力をＯＮにし、測定温度が「ツマミ設定＋加温感度」を超えたら（ｔ５）、再び加温器２８の出力をＯＦＦにし、その時点からハウス１２内の温度変化を監視する。そして、空調機（ＨＰ）２２のＯＦＦ点を超えた時点（ｔ６）から、一定の時間（オーバーシュート許容時間）が経過するまでに、測定温度が「補正後温度＋ＨＰ感度」を下回らなかったため、前記一定の時間が経過した時点（ｔ７）で、空調機（ＨＰ）２２の出力をＯＦＦとする。その後、測定温度が「補正後温度＋ＨＰ感度」に達したら（ｔ８）、再び空調機２２の出力をＯＮにするという具合である。
【００６６】
＜オーバーシュート対応制御例２＞・・・次に、図７を参照して制御例２を説明する。
(1)まず、加温器２８がＯＮからＯＦＦになった時点から温度の変化を監視し、
(2)外気温度が、前記外気基準値未満の時、空調機（ＨＰ）２２のＯＦＦ点を超えた場合、入点（言い換えれば、２回目のＯＦＦ点）までは、空調機２２をＯＦＦしないようにする。
これにより、空調機２２をなるべく停止しないようにすることで稼働率を上げ、逆に加温器２８の稼働率を下げることで経費を低減できる。
【００６７】
図７には、制御例２における、加温出力のＯＮＯＦＦ、ＨＰ出力のＯＮＯＦＦ、ハウス１２内の測定温度の経時変化が示されている。同図に示すように、加温器２８がＯＮからＯＦＦになった時点（ｔ１）から温度の変化を監視し、空調機２２のＯＦＦを超えた場合（ｔ２）、１回目のオーバーシュート（ｔ２〜ｔ３）では空調機２２を停止させず、２回目に空調機のＯＦＦ点を超えたら（ｔ４）、空調機２２を停止するという具合である。
【００６８】
＜オーバーシュート対応制御例３＞・・・次に、具体的な制御例３を説明する。
(1)まず、加温器２８がＯＮからＯＦＦになった時点から温度の変化を監視し、
(2)空調機２２のＯＦＦを超えた時点から、計算で得た時間は、空調機をＯＦＦしないようにする。
これにより、空調機２２をなるべく停止しないようにして、空調機２２の稼働率を上げ、逆に加温器２８の稼働率を下げることで経費を低減できる。空調器２２をＯＦＦにしない時間の計算は、例えば、
・外気温度が外気基準値以上の場合は「０」とし、
・外気温度が外気基準値未満の場合は、「設定した時間×（外気基準値−外気温度）」により求める。
制御例３の加温出力のＯＮＯＦＦ、ＨＰ出力のＯＮＯＦＦ、ハウス１２内の測定温度の経時変化のグラフは、前記制御例１のグラフ（図６）と同様であり、図６では、ｔ２→ｔ３までの時間と、ｔ６→ｔ７までの時間が一定であるが、制御例３では計算で求められる。
【００６９】
以上のような制御例１〜制御例３は、必要に応じて切り替えて使用される。例えば、
１１月のように比較的外が暖かいときは、制御例１で、
１２月や３月のように比較的外が寒いときは、制御例３で、
１月や２月のような厳寒期は、制御例２で、
制御するという具合である。
【００７０】
図１３は、このような空調機（ＨＰ）制御（ステップＳ１２０）のフローチャートであって、前記制御例１に対応する。上述した加温器制御（ステップＳ８０）の後、ＨＰ制御（ステップ１２０）に入ったら、制御部５２は、デマンド信号がＯＮか否か判断し（ステップＳ１２２）、デマンド信号がＯＮであれば（ステップＳ１２２でＹｅｓ）、ＨＰ出力をＯＦＦにし（ステップＳ１３０）、前記図８のステップＳ２３０へ進む。一方、デマンド信号がＯＦＦであれば（ステップＳ１２２でＮｏ）、空調機（ＨＰ）２２を暖房で使用しているか否かを判断する（ステップＳ１２４）。そして、暖房で使用しており（ステップＳ１２４でＹｅｓ）、換気による禁止タイマがアップしていなければ（ステップＳ１２６でＮｏ）、前記ステップＳ１３０へ進む。
【００７１】
＜暖房使用時＞・・・ヒートポンプを暖房で使用し（ステップＳ１２４でＹｅｓ）、換気による禁止タイマがアップしており（ステップＳ１２６でＹｅｓ）、空調機２２が信号付きＨＰでなければ（ステップＳ１２８でＮｏ）、室内温度が、補正後設定＋入点＋ＨＰ感度以上か否か判断する（ステップＳ１５０）。そして、室内温度が、補正後設定＋入点＋ＨＰ感度未満であり（ステップＳ１５０でＮｏ）、更に、室内温度が、補正後設定＋入点以下であれば（ステップＳ１６０でＹｅｓ）、ＨＰ出力をＯＮにし（ステップＳ１６２）、オーバーシュートタイマをセットして（ステップＳ１６４）、前記図８のステップＳ２３０へ進む。また、前記室内温度が、補正後設定＋入点を超える場合には（ステップＳ１６０でＮｏ）、ＨＰ出力をＯＮにせずに、オーバーシュートタイマセット（ステップＳ１６４）へ進む。
【００７２】
一方、前記ステップＳ１５０において、室内温度が、補正後設定＋入点＋ＨＰ感度以上であり（ステップＳ１５０でＹｅｓ）、オーバーシュート開始がＯＮのときは（ステップＳ１５２でＹｅｓ）、オーバーシュートタイマがアップしているか否か判断し（ステップＳ１５４）、タイマがアップしていれば（ステップＳ１５４でＹｅｓ）、オーバーシュート開始をＯＦＦにし（ステップＳ１５６）、ＨＰ出力をＯＦＦにして（ステップＳ１５８）、前記図８のステップＳ２３０へ進む。また、前記ステップＳ１５２において、オーバーシュート開始をＯＮにしないときは（ステップＳ１５２でＮｏ）、前記ステップＳ１５８へ進む。更に、前記ステップＳ１５４において、タイマがアップしていなければ（ステップＳ１５４でＮｏ）、前記図８のステップＳ２３０へ進む。
【００７３】
ところで、空調機２２を暖房で使用している場合であって（ステップＳ１２４でＹｅｓ）、換気による禁止タイマがアップしており（ステップＳ１２６でＹｅｓ）、信号付ＨＰのときは（ステップＳ１２８のＹｅｓ）、図１４に示すステップＳ１７０へ進み、室内温度が、補正後設定＋入点＋ＨＰ感度以上か判断する。室内温度が、補正後設定＋入点＋ＨＰ感度未満であれば（ステップＳ１７０でＮｏ）、ＨＰ出力をＯＦＦにする（ステップＳ１７２）。その後、室内温度が、補正後設定＋入点を超えれば（ステップＳ１７４でＮｏ）、ＨＰ信号＝｛１４℃×（補正後設定＋入点＋ＨＰ感度幅−室内温度）／ＨＰ感度幅｝＋１６℃、と算出し（ステップＳ１７６）、オーバーシュートタイマをセットして（ステップＳ１７８）、前記図８のステップ２３０へ進む。一方、前記室内温度が、補正後設定＋入点以下であれば（ステップＳ１７４でＹｅｓ）、ＨＰ信号＝３０℃（リモコン最大）とし（ステップＳ２００）、オーバーシュートタイマをセットして（ステップＳ１７８）、前記図８のステップＳ２３０へ進む。
【００７４】
また、室内温度が、補正後設定＋入点＋ＨＰ感度以上であり（ステップＳ１７０でＹｅｓ）、オーバーシュート開始をＯＮにする場合は（ステップＳ１８０でＹｅｓ）、オーバーシュート中タイマがアップしているか否か判断し（ステップＳ１８２）、タイマがアップしていれば（ステップＳ１８２でＹｅｓ）、オーバーシュート開始をＯＦＦにし（ステップＳ１８４）、ＨＰ出力をＯＦＦにし（ステップＳ１８６）、ＨＰ信号を１６℃に設定して（ステップＳ１８８）、図８の前記ステップＳ２３０へ進む。また、前記ステップＳ１８０において、オーバーシュート開始がＯＮでない場合（ステップＳ１８０のＮｏ）は、前記ステップＳ１８６へ進む。また、前記ステップＳ１８２において、オーバーシュート中タイマがアップしていない場合には（ステップＳ１８２でＮｏ）、前記ステップＳ１８８へ進む。
【００７５】
＜冷房運転時＞・・・一方、ヒートポンプを冷房に使用する場合（図１３のステップＳ１２４でＮｏ）であって、信号付きＨＰでない場合（ステップＳ１３２のＮｏ）は、室内温度がツマミ設定以下であれば（ステップＳ１３４でＹｅｓ）、ＨＰ出力をＯＦＦにし（ステップＳ１３６）、前記図８のステップＳ２３０へ進む。また、室内温度がツマミ設定を超えており（ステップＳ１３４でＮｏ）、さらに、室内温度がツマミ設定＋ＨＰ感度以上のときは（ステップＳ１３８でＹｅｓ）、ＨＰ出力をＯＮにし（ステップＳ１４０）、前記図８のステップＳ２３０へ進む。また、前記室内温度が、ツマミ設定＋ＨＰ感度未満のときは、ＨＰ出力はＯＮにせず、前記ステップＳ２３０へ進む。
【００７６】
ところで、空調機２２を冷房として使用している場合であって（ステップＳ１２４でＮｏ）、信号付きＨＰの場合（ステップＳ１３２）は、図１５に示すステップＳ２１０へ進み、室内温度が、ツマミ設定＋加温器用感度以上が否か判断する。そして、室内温度が、ツマミ設定＋加温器用感度未満のときは（ステップＳ２１０でＮｏ）、ＨＰ出力をＯＮにし（ステップＳ２１２）し、更に、室内温度がツマミ設定未満であれば（ステップＳ２１４でＮｏ）、前記図８のステップＳ２３０へ進む。また、室内温度がツマミ設定以上であれば（ステップＳ２１４でＹｅｓ）、ＨＰ信号を３０℃に設定し（ステップＳ２２０）、ＨＰ出力をＯＦＦして（ステップＳ２２２）、前記図８のステップＳ２３０へ進む。一方、室内温度が、ツマミ設定＋加温器用感度以上（ステップＳ２１０でＹｅｓ）のときは、ＨＰ信号を１６℃（リモコン最大値）に設定し（ステップＳ２１６）、ＨＰ出力をＯＮにし（ステップＳ２１８）、前記図８のステップＳ２３０へ進む。
【００７７】
このように、実施例１によれば、次のような効果がある。
(1)温度管理システム１０が、ハウス１２内の温度調節を行う温度調節手段（空調機２２及び加温器２８）と、前記ハウス１２内の温度を検出する室内温度検出部３２と、前記ハウス１２外の温度を検出する外気温度検出部３４と、前記ハウス内の設定温度を含む前記温度調節手段の運転制御機能に関する条件を設定する操作パネル６０と、制御部５２を備えている。そして、前記制御部５２は、前記外気温度検出部３４により検出されたハウス１２外の外気温が、所定の外気基準値を下回ったときに、前記操作パネル６０で設定された設定温度に、前記外気温の低下に応じた加算値を加えて前記設定温度を補正し、該補正後の設定温度に基づいて、前記温度調節手段の運転を制御することとしたので、外気温の低下に応じて室内温度を適切に上げることができる。
(2)前記温度調節手段として、燃料の燃焼により加温する加温器２８と、ヒートポンプ式の空調機２２を併用し、前記補正後の設定温度に基づいて前記空調機２２の運転を制御することとしたので、空調機２２の稼働率を高め、不足分のみ加温器２８も運転することとしたので、省エネに効果がある。
【００７８】
(3)オーバーシュート対応機能を設けたので、空調機２２をなるべく停止しないようにして稼働率を上げ、逆に加温器２８の稼働率を下げることで経費を低減できる。
(4)換気装置３０の作動時における加温制御遅延を行うこととしたので、換気によりハウス１２内の温度が一時的に低下しても、一定時間は加温器２８や空調機２２を起動させないことで、無駄に空調機２２や加温器２８が起動して経費がかかることを防止できる。
(5)除霜による能力落ち込み補正機能を設けたので、複数台あるうちのいずれかの空調機２２が除霜に入っても、その他の空調機２２の稼働率をアップさせることで全体の暖房能力を維持し、加温器２８がＯＮして経費が増すのを防止することができる。
(6)ステップ４からステップ１へ移るときに、徐々に設定温度を上げるように勾配昇温を行うことで、ハウス１２内が急に温度上昇して空気中の水分が、果実の部分などに結露して付着し、病気や裂果などが発生することを防止できる。
【００７９】
なお、本発明は、上述した実施例に限定されるものではなく、本発明の要旨を逸脱しない範囲内において種々変更を加え得ることができる。例えば、以下のものも含まれる。
(1)前記実施例で示した温度管理システム１０の全体構成は一例であり、同様の効果を奏するように適宜設計変更可能である。例えば、前記メモリ７０に記憶する情報も一例であり、必要に応じて適宜変更してよい。
(2)前記実施例で示したフローチャートも一例であり、同様の効果を奏する範囲内で、必要に応じて適宜処理手順を変更してよい。
(3)前記実施例では、外気温に基づく設定温度の補正に加え、各種の制御処理を行うこととしたが、これも一例であり、これらの処理は必要に応じて適宜行えばよい。また、必ずしも図８に示す順番に行う必要はなく、実際には、いくつかの制御処理と、前記外気温に基づく設定温度の補正は平行して実行されていてもよい。
【００８０】
(4)前記実施例では、２４時間を単位として、前記実施例における各ステップ毎の室内設定温度を手動で設定することとしたが、これも一例であり、これらの設定値情報を記憶して集積することで、植物の定植から収穫終了に至る一連の生育における各ステージの室内設定温度を、例えば、前記メモリ７０にパターン情報として複数登録しておき、必要に応じて植物の生長や品種で読み出して利用することで、品種や作物の違いに応じて、オリジナルな生育パターンを生かした植物栽培が可能となる。また、前記図３に示したステップの区切り方も一例であり、必要に応じて適宜変更してよい。
(5)前記実施例で示した操作パネル６０の構成も一例であり、同様の効果を奏する範囲内で、入力部、表示部の構成は適宜変更可能である。また、前記操作パネルにおける各種情報の表示態様も一例であり、例えば、ランプの点灯を点滅にしたり、色を変えたりしてもよい。
(6)電気式ヒートポンプ（ＥＨＰ）を採用している場合、外部監視器４０のデマンドメータ４２などから信号を受け、契約電力の上限の使用料の場合、ＨＰの運転を停止して、回復するまでは加温器２８のみの運転としてもよい。契約電力には上限があり、これを超えると契約以上の金額を払わなくてはならず、１回でも大きなデマンド値がでると１年間はそのデマンド値が適用された料金となるのを防止することができる。
【００８１】
(7)前記実施例１で示した空調機ＯＦＦ点や、空調機入点等の決め方も一例であり、必要に応じて適宜変更してよい。また、前記実施例では、空調機入点（ＨＰ入点）と加温器入点を共通の設定としたが、これも一例であり、個別に設定することを妨げるものではない。
(8)前記ハウス１２内に警報機３６を設け、警報出力、異常出力を行うようにしてもよい。例えば、測定室内温度が上限警報温度を上回ったとき、測定室内温度が下限警報温度を下回ったときに、制御部５２が警報出力をＯＮにする。また、上限／下限警報温度の他に、温度センサ異常などの異常が発生すると警報出力をＯＮにしてもよい。
(9)前記実施例では、空調機２２を最大限稼働させ、加温器２８を補助的に用いることとしたが、これも一例であり、燃料価格や電気料金の変動により、空調機２２よりも加温器２８を運転するほうが安い場合には、加温器２８のみを用いるようにしてもよい。例えば、夜間は深夜電力で電気代を下げているが、契約時間外の昼間、化石燃料単価の方が安くなった場合は、設定の切替により昼間の空調機２２の運転を中止する，更に化石燃料が安くなり、深夜契約電力を下回る場合は、設定の切替により昼夜ともに空調機２２を使用せずに運転を行うようにしてもよい。
(10)前記実施例では、空調機２２として、電気式ヒートポンプを用いる場合を例に挙げて説明したが、ガスヒートポンプ（ＧＨＰ）を採用するようにしてもよい。その場合、ガス料金と、加温器２８の燃料価格の変動に応じて、いずれを運転するか切替るようにしてもよい。また、電気式ヒートポンプと、ガス式ヒートポンプを併用し、これらの電気料金やガス料金と、加温器２８の燃料価格の変動に応じて最も適切な手段を運転させるようにしてもよい。
【産業上の利用可能性】
【００８２】
本発明によれば、暖房，冷房のいずれか又は両方によって、前記ハウス内の温度調節を行う温度調節手段と、前記ハウス内の温度を検出する室内温度検出手段と、前記ハウス外の温度を検出する室外温度検出手段と、前記ハウス内の設定温度を含む前記温度調節手段の運転制御機能に関する条件を設定する設定手段と、前記室外温度検出手段により検出されたハウス外の外気温が、所定の外気基準値を下回ったときに、前記設定手段により設定された設定温度に、前記外気温の低下に応じた加算値を加えて前記設定温度を補正し、該補正後の設定温度に基づいて、前記温度調節手段の運転を制御する制御手段と、を備えることとした。このため、外気温の低下に応じて室内温度を適切に上げることができるため、植物が生育されるハウスの温度管理システムの用途に適用できる。特に、温調手段として、空調機と加温器を併用するシステムに適用することで、空調機の稼働率を高め、補助的に加温器を使用できるため、省エネに効果がある。
【符号の説明】
【００８３】
１０：温度管理システム
１２：ハウス
２２：空調機（ＨＰ）
２４：室内機
２６：室外機
２８：加温器
３０：換気装置
３２：室内温度検出部
３４：外気温度検出部
３６：警報機
４０：外部監視器
４２：デマンドメータ
５０：制御装置
５２：制御部
６０：操作パネル
６２：入力部
６４：表示部
７０：メモリ
７２：設定情報部
７４：測定情報部
８０：時計
８２：タイマ
１００：温度表示器
１０２：出力モニターランプ
１０２ａ：冷房ランプ
１０２ｂ：ＨＰランプ
１０２ｃ：加温ランプ
１０２ｄ：警報ランプ
１０４：外部入力ランプ
１０６：タイマ表示部
１０８：円形４８点時刻表示ランプ
１１０ａ〜１１０ｄ：現在ステップ表示ランプ
１１２：開始時刻変更右回りキー
１１４：開始時刻変更左回りキー
１２０，１３０，１４０，１５０：ステップ表示部
１２２，１３２，１４２，１５２：温度設定ツマミ
１２４，１３４，１４４，１５４：ステップ表示キー
１２６，１３６，１４６，１５６：ステップ表示ランプ
１６０ａ：運転キー
１６０ｂ：運転ランプ
１６２ａ：ロックキー
１６２ｂ：ロックランプ
１６４：表示切替キー
１６６：設定変更アップキー
１６８：設定変更ダウンキー
１７０：カバー内パネル
１７２：外気温度キー／ランプ
１７４：補正後設定キー／ランプ
１７６：入点キー／ランプ
１７８：外気基準キー／ランプ
１８０：シフト℃／℃キー／ランプ
１８２：換気遅延キー／ランプ
１８４：シフト開始キー／ランプ
１８６：加温感度キー／ランプ
１８８：ＨＰ感度キー／ランプ
１９０：下限警報キー／ランプ
１９２：上限警報キー／ランプ
１９４：時計の分表示キー／ランプ
１９６：時計の時表示キー／ランプ
１９８：シフト終了キー／ランプ
【図１】
2016195555.tif 000006
【図２】
2016195555.tif 000007
【図３】
2016195555.tif 000008
【図４】
2016195555.tif 000009
【図５】
2016195555.tif 000010
【図６】
2016195555.tif 000011
【図７】
2016195555.tif 000012
【図８】
2016195555.tif 000013
【図９】
2016195555.tif 000014
【図１０】
2016195555.tif 000015
【図１１】
2016195555.tif 000016
【図１２】
2016195555.tif 000017
【図１３】
2016195555.tif 000018
【図１４】
2016195555.tif 000019
【図１５】
2016195555.tif 000020